(57)【要約】【課題】  型枠がコンクリート製や石製等の重量のあるものでも利用できると共に、型枠兼用となるブロック体の表面にセパレータが露出せず、体裁の良いセパレータや型枠を提供せんとする。【解決手段】  型枠材６の上下面に内外互い違いに対応する切り欠き段部７、９を形成し、内側切り欠き段部の奥に凹穴１１を設け、上下方向へ積み重ね可能とした型枠材６の内側切り欠き段部に、セパレータ１の係止片４を当着すると共に、引掛部５を前記凹穴１１へ嵌入した。【選択図】  図３
2005188108.tif 000002
【特許請求の範囲】
【請求項１】
連結片の両側に型枠材の内側面の上下方向に当たる当接片を設け、当接片の外側に先端が上又は下の一方へ屈曲した引掛部を有する係止片を突設したことを特徴とする型枠材のセパレータ。
【請求項２】
連結片に当接片の中間部が突合する請求項１記載の型枠材のセパレータ。
【請求項３】
連結片に当接片の一端部が突合する請求項１記載の型枠材のセパレータ。
【請求項４】
型枠材の上下面に内外互い違いに対応する切り欠き段部を形成し、内側切り欠き段部の奥に凹穴を設け、上下方向へ積み重ね可能とした型枠材の内側切り欠き段部に、請求項１乃至３に記載のいずれかのセパレータの係止片を当着すると共に、引掛部を前記凹穴へ嵌入したことを特徴とする型枠。
【請求項５】
型枠材の両側面に内外互い違いに対応する切り欠き段部を形成し、横方向へ並設可能とした請求項４記載の型枠。
【発明の詳細な説明】
【技術分野】
【０００１】
本発明は、コンクリート成形用の型枠材のセパレータ及びそのセパレータを使用した型枠に関するものであり、型枠材は取り外されず、そのまま外装面と成る型枠に関するものである。
【背景技術】
【０００２】
建造物の基礎や壁面であって、コンクリート製構築物において、構築物を形成する型枠をコンクリートの固化後も取り外さず、そのまま外装面を構成する型枠兼用パネル（ブロック）は従来より種々提案されている。
【０００３】
例えば、特開平０８ー２７７５８９では、型枠兼用ブロックと連結板から成り、連結板の両端部に設けたフランジ部が型枠兼用ブロック内に埋設して一体化し、型枠兼用ブロックの上面に凸部を突設し、下面には上面凸部に対応する凹部を形成して積み重ね可能とし、側面にはアリ又はアリ溝を形成して横方向へ連結可能とした構成が開示されている。
又、特開平０９ー２４２０８６で開示されているセパレータの構成は、板状物の両端に上下方向に開口した係止片を設け、この上下の係止片の空間内に積み重ねる型枠に介在させて係止片の空間内に型枠の上部又は下部を挾着するものである。
【特許文献１】特開平０８ー２７７５８９
【特許文献２】特開平０９ー２４２０８６
【発明の開示】
【発明が解決しようとする課題】
【０００４】
上記特開平０８ー２７７５８９では、対向する型枠兼用ブロックと連結板が一体に製造されるものであるから、運搬、保管に不便であり、型枠兼用ブロックの材質が発泡スチロール等の軽量なものに限定されるものとなる。
又、特開平０９ー２４２０８６では、セパレータの係止片の外側片が型枠の外側へ露出状態と成り、建物外壁や塀の構築に利用する場合の体裁が問題となる。
【０００５】
そこで、本発明は型枠がコンクリート製や石製等の重量のあるものでも利用できると共に、型枠兼用となるブロック体の表面にセパレータが露出せず、体裁の良いセパレータや型枠を提供せんとするものである。
【課題を解決するための手段】
【０００６】
本発明のセパレータは、連結片の両側に型枠材の内側面の上下方向に当たる当接片を設け、当接片の外側に先端が上又は下の一方へ屈曲した引掛部を有する係止片を突設したことを特徴とするものである。
そして、型枠材の上下面に内外互い違いに対応する切り欠き段部を形成し、内側切り欠き段部の奥に凹穴を設け、上下方向へ積み重ね可能とした型枠材の内側切り欠き段部に、セパレータの係止片を当着すると共に、引掛部を前記凹穴へ嵌入して型枠を構成するものである。
【０００７】
連結片の両側に設けた当接片で対向する型枠材の間隔を決定してセパレータの作用を奏すると共に、係止片の引掛部を一方の型枠材の凹穴に嵌入することで、型枠材が外方へ押されて移動するのを阻止して位置固定を行うものであり、セパレータは型枠材の外側へは露出しない。
そして、セパレータの引掛部が嵌入しない積み重ねた他方の型枠材は、位置固定された一方の型枠材の切り欠き段部に突出段部が嵌合して、外方への移動を阻止されるのである。
【０００８】
連結片に当接片の中間部が突合していれば、当接片は積み重ねる上下に隣接する両型枠材の内側面に当たり、正確な重合と対向間隔の位置決め固定を行うのであり、又連結片に当接片の一端部が突合していれば、最上位又は最下位の型枠材へのセパレータとして利用でき、更に型枠材の両側面に内外互い違いに対応する切り欠き段部を形成すれば、横方向への連結が確実・容易となるのである。
【発明の効果】
【０００９】
本発明のセパレータは、型枠材の外側に露出することなく、型枠材の表面材としての体裁を保持し、セパレータとしての機能と、単独で型枠材に係止し、確実・堅固に位置決め固定する効果を有する。
又、セパレータで固定される型枠材に積み重なる型枠材が当接する段部で互いに係合して確実、容易に片組みできると共に、セパレータで固定された型枠材で他方の型枠材が外側へ押され移動するのを阻止するため、コンクリートの充填・固化の圧力を受けとめられる効果を発揮するのである。
【００１０】
そして、セパレータの連結片に当接片の中間部が突合したものは、当接片が積み重なる上下の型枠材に当接して間隔の決定と位置決めを行えるのであり、連結片に当接片の一端部が突合するものとすれば、最上位又は最下位の型枠材の位置決め、固定を行うことができる効果を有する。
【発明を実施するための最良の形態】
【００１１】
本発明の実施の形態を図面に基づいて説明する。
図１は本発明のセパレータの一実施の形態を示す斜視図であり、セパレータ１は連結片２、当接片３、３及び係止片４、４により構成している。
連結片２に対し、当接片３、３は両側に夫々設けられ、当接片３、３の中央部が突合して上下方向へ直角をなしている。
更に、当接片３、３の中央部から外方へ係止片４、４が横設され、その先端部が下方へ折曲して引掛部５、５を形成している。
【００１２】
セパレータ１を構成する各部は金属製であり、連結片２及び係止片４、４は棒状体で形成し、当接片３、３は板状体で板面を連結片２の長さ方向に同一面としている。
各部を構成する素材は、金属に代えて硬質の合成樹脂を用いてもよく、又連結片２は板状体で形成し、当接片３、３は当接する型枠材６、６に平行と成る板状体とし、板面で型枠材６、６と当接するようにしてもよい。
【００１３】
図２は型枠材６の一実施の形態を示す斜視図である。
型枠材６はコンクリートや石で成形し、表面（外側面）にタイル等で装飾を施してもよく、型枠兼用表面パネルとして、コンクリートを充填・固化させた後も取り外すことなく利用される。
【００１４】
型枠材６の上下及び左右の端面には切り欠き段部７、７、９、９が互い違いに形成してあり、上下方向及び横方向に積み重ね又は並設した場合に、突合する互いの切り欠き段部７、７、９、９と突出段部８、８、１０、１０が突合するものとなっている。
又、上端面（図面では）である切り欠き段部７、７の奥には下方へ向けて凹穴１１、１１が２ケ所形成してある。
【００１５】
図３は型枠材６、６…を対向して置き、上下及び左右に積み重ねると共に並設し、前記セパレータ１、１…を用いて位置決め・固定した状態を示す一部縦断側面図である。
セパレータ１は型枠材６、６が積み重ねられる部分に介在し、セパレータ１の当接片３、３の外側端と、対向して配置する型枠材６、６及び上下位置にある型枠材６、６の内側面とが突合し、当接する関係で配置される。
上下位置に積み重ねた型枠材６、６は切り欠き段部７、７が他方の突出段部９、９と突合して係合する。
一方、セパレータ１の引掛部５、５が下部の型枠材６の凹穴１１、１１に嵌入して、下部の型枠材６にセパレータ１は離脱することなく装置されるのである。
【００１６】
したがって、対向する下部の型枠材６、６はセパレータ１の両側の当接片３、３と引掛部５によって夫々挾持され、互いに位置決めされ、充填したコンクリートの圧力を外側方向へ同等に受けるため、横方向へ移動することなく固定されるのであり、又上部の型枠材６、６も突出段部８、８が固定された下部の型枠材６、６に突出段部８、８に当たって外側への移動を阻止されると共に、内側方向へはセパレータ１の当接片３で阻止されているため、互いに位置決め・固定されるのである。
【００１７】
図４は最上部の型枠材６、６とセパレータ１Ａとの関係を示す縦断側面図であり、連結片２Ａに当接片３Ａの上端部が突合して結合しているものである。
又、図５は最下部の型枠材６、６とセパレータ１Ｂとの関係を示す縦断側面図であり、連結片２Ｂに当接片３Ｂの下端部が当接し、引掛部５Ｂが上方へ折曲し、型枠材６、６の下面の切り欠き段部７、７の段部壁面１２、１２に縦溝１３、１３を設け、引掛部５Ｂ、５Ｂを挿入するものとしている。
【００１８】
図６は、係止片４が置かれる位置に当たる切り欠き段部７に係止片４が埋まる横溝１４を形成したものであり、係止片４の介在で上下位置の型枠材６、６間、係止片４の厚み分の隙間の発生を防止している。
又、図７は横方向に型枠材６の連結状態を示す平面図である。
尚、コンクリートの充填に際しては、充填空間内に適宜に鉄筋を配設することは通常行われているところである。
【図面の簡単な説明】
【００１９】
【図１】本発明の一実施の形態を示すセパレータの斜視図である。
【図２】本発明の一実施の形態を示す型枠材の斜視図である。
【図３】本発明の使用状態を示す一部縦断側面図である。
【図４】本発明の使用状態を示す最上部の縦断側面図である。
【図５】本発明の使用状態を示す最下部の縦断側面図である。
【図６】型枠材の他の実施の形態を示す一部縦断側面図である。
【図７】型枠材の使用状態を示す平面図である。
【符号の説明】
【００２０】
１、１Ａ、１Ｂ  セパレータ
２、２Ａ、２Ｂ  連結片
３、３Ａ、３Ｂ  当接片
４、４Ａ、４Ｂ  係止片
５、５Ａ、５Ｂ  引掛部
６  型枠材
７、９  切り欠き段部
８、１０  突出段部
１１  凹穴
１２  段部壁面
１３  縦溝
１４  横溝
【図１】
2005188108.tif 000003
【図２】
2005188108.tif 000004
【図３】
2005188108.tif 000005
【図４】
2005188108.tif 000006
【図５】
2005188108.tif 000007
【図６】
2005188108.tif 000008
【図７】
2005188108.tif 000009